(57)【要約】  本発明によって再生装置のソフトウェアアップデートを効果的に行わせる情報記録媒体、再生方法及び再生装置を提供する。データ再生装置に利用するための情報記録媒体において、データと、データ再生装置のソフトウェアアップデートのための情報と、が記録されている情報記録媒体である。
2009533788.tif 000002
【特許請求の範囲】
【請求項１】
データ再生装置に利用するための情報記録媒体において、
データと、
前記データ再生装置のソフトウェアアップデートのための情報と、が記録されている情報記録媒体。
【請求項２】
前記ソフトウェアアップデートのための情報は、前記装置の一般的なオペレーションを通じて、ユーザにはアクセス不能の前記情報記録媒体の位置に保存されていることを特徴とする請求項１に記載の情報記録媒体。
【請求項３】
前記ソフトウェアアップデートのための情報は、
アップデートソフトウェアファイルに関する情報を有するソフトウェアアップデート情報ファイルを含み、
前記ソフトウェアアップデート情報ファイルは、
いかなるＣＰＵで実行されるソフトウェアであるかを表すソフトウェアタイプ、再生装置の製造者名、再生装置のモデル名、ソフトウェアバージョン情報、ユーザにアップデート情報を知らせるアップデートメッセージのうち少なくとも一つ以上を含むことを特徴とする請求項１に記載の情報記録媒体。
【請求項４】
前記アップデートメッセージは、
アップデート発生時点、アップデート原因、アップデート方法、現在ネットワークに接続してアップデートを行うか否かを問い合わせする案内情報、アップデートなしに現在ソフトウェアとして再生するか否かを問い合わせする案内情報のうち少なくとも一つ以上を知らせることを特徴とする請求項３に記載の情報記録媒体。
【請求項５】
前記ソフトウェアアップデートのための情報は、
アップデートソフトウェアファイルに関する情報を有するソフトウェアアップデート情報ファイルとソフトウェアアップデートファイルとを含み、
前記ソフトウェアアップデート情報ファイルは、
いかなるＣＰＵで実行されるソフトウェアであるかを表すソフトウェアタイプ、再生装置の製造者名、再生装置のモデル名、ソフトウェアバージョン情報、アップデートファイル名及びアップデートソフトウェア及びアップデートに関する情報をユーザに知らせるアップデートメッセージのうち少なくとも一つ以上を含むことを特徴とする請求項１に記載の情報記録媒体。
【請求項６】
前記アップデートメッセージは、
アップデートソフトウェアファイルの発売日、ソフトウェアをアップデートしなくて発生する問題、ソフトウェアアップデートの方法のうち少なくとも一つを含むことを特徴とする請求項５に記載の情報記録媒体。
【請求項７】
情報記録媒体上にデータを記録する装置で使用するための情報記録媒体において、
データを記録するためのデータ領域と、
前記情報記録媒体のデータ領域にデータを記録する前記装置に保存されたソフトウェアのアップデート情報を記録するための所定の領域と、を備えることを特徴とする情報記録媒体。
【請求項８】
前記所定領域は、前記装置の一般的なオペレーションを通じてはユーザにアクセスが不可能であることを特徴とする請求項７に記載の情報記録媒体。
【請求項９】
前記ソフトウェアアップデートのための情報は、
アップデートソフトウェアファイルに関する情報を有するソフトウェアアップデート情報ファイルを含み、
前記ソフトウェアアップデート情報ファイルは、
いかなるＣＰＵで実行されるソフトウェアであるかを表すソフトウェアタイプ、再生装置の製造者名、再生装置のモデル名、ソフトウェアバージョン情報、アップデートファイル名及びアップデートソフトウェア及びアップデートに関する情報をユーザに知らせるアップデートメッセージのうち少なくとも一つ以上を含むことを特徴とする請求項７に記載の情報記録媒体。
【請求項１０】
前記アップデートメッセージは、
アップデートソフトウェアファイルの発売日、ソフトウェアをアップデートしなくて発生する問題、ソフトウェアアップデートの方法、現在ネットワークに接続してアップデートを行うか否かを問い合わせする案内情報、アップデートなしに現在ソフトウェアとして再生するか否かを問い合わせする案内情報のうち少なくとも一つ以上を含むことを特徴とする請求項９に記載の情報記録媒体。
【請求項１１】
前記ソフトウェアアップデートのための情報は、
アップデートソフトウェアファイルに関する情報を有するソフトウェアアップデート情報ファイル及びアップデートソフトウェアファイルを含み、
前記ソフトウェアアップデート情報ファイルは、
いかなるＣＰＵで実行されるソフトウェアであるかを表すソフトウェアタイプ、再生装置の製造者名、再生装置のモデル名、ソフトウェアバージョン情報、アップデートファイル名及びアップデートソフトウェア及びアップデートに関する情報をユーザに知らせるアップデートメッセージのうち少なくとも一つ以上を含むことを特徴とする請求項７に記載の情報記録媒体。
【請求項１２】
前記アップデートメッセージは、
アップデートソフトウェアファイルの発売日、ソフトウェアをアップデートしなくて発生する問題、ソフトウェアアップデートの方法のうち少なくとも一つをさらに含むことを特徴とする請求項１１に記載の情報記録媒体。
【請求項１３】
データが記録された情報記録媒体からデータを再生する方法において、
前記情報記録媒体から前記データ再生装置のソフトウェアアップデートのための情報を読み取るステップと、
前記ソフトウェアアップデートのための情報に基づいて、ソフトウェアアップデートの要否を判断するステップと、
ソフトウェアアップデートが必要である場合に、アップデートメッセージをユーザに出力するステップと、を含むことを特徴とする再生方法。
【請求項１４】
前記ソフトウェアは、前記再生装置のＣＰＵ実行用ソフトウェア、前記再生装置のエンコーダまたはデコーダ実行用ソフトウェア、前記情報記録媒体をローディングするローディング装置のＣＰＵ実行用ソフトウェアのうち少なくとも一つ以上を含むことを特徴とする請求項１３に記載の再生方法。
【請求項１５】
前記ソフトウェアアップデートのための情報は、
いかなるＣＰＵで実行されるソフトウェアであるかを表すソフトウェアタイプ、再生装置の製造者名、再生装置のモデル名、ソフトウェアバージョン、ユーザにアップデート情報を知らせるアップデートメッセージのうち少なくとも一つ以上を含むことを特徴とする請求項１４に記載の再生方法。
【請求項１６】
前記判断ステップは、
前記ソフトウェアのバージョン情報を利用して、ソフトウェアアップデートの要否を判断するステップを含むことを特徴とする請求項１５に記載の再生方法。
【請求項１７】
前記アップデートメッセージは、
アップデート発生時点、アップデート方法、アップデート原因のうち少なくとも一つ以上を知らせることを特徴とする請求項１６に記載の再生方法。
【請求項１８】
前記アップデートメッセージは、現在ネットワークに接続してソフトウェアアップデートを行うか否かを問い合わせする案内情報を含み、
ユーザから現在ネットワークに接続してソフトウェアアップデートを行うという選択入力を受信した場合には、前記ネックワークに接続してソフトウェアアップデートを行うステップをさらに含むことを特徴とする請求項１７に記載の再生方法。
【請求項１９】
前記アップデートメッセージは、ソフトウェアアップデートなしに現在ソフトウェアとして再生するか否かを問い合わせする案内情報を含み、
ユーザからソフトウェアアップデートなしに現在ソフトウェアとして再生するという選択入力を受信した場合には、前記データを再生するステップをさらに含むことを特徴とする請求項１８に記載の再生方法。
【請求項２０】
ユーザインターフェースを通じて、前記アップデートメッセージ出力ステップは、
前記情報記録媒体から読み取られたソフトウェアアップデートのための情報に含まれたアップデートメッセージまたは前記再生装置に設定されたデフォルトアップデートメッセージをユーザインターフェースを通じて提供するステップを含むことを特徴とする請求項１９に記載の再生方法。
【請求項２１】
前記ソフトウェアアップデートが必要ない場合には、前記情報記録媒体から前記データを再生するステップをさらに含むことを特徴とする請求項２０に記載の再生方法。
【請求項２２】
データが記録された情報記録媒体からデータ再生装置において、
前記再生装置がＡ／Ｖデータを再生するように制御するＣＰＵと、
前記ＣＰＵが実行するソフトウェアを保存するためのメモリ装置と、を備え、
前記ＣＰＵは、
前記情報記録媒体から前記Ａ／Ｖデータ再生装置のソフトウェアアップデートのための情報を読み取り、前記ソフトウェアアップデートのための情報に基づいてソフトウェアアップデートの要否を判断し、ソフトウェアアップデートが必要である場合に、アップデートメッセージを出力するように制御することを特徴とする再生装置。
【請求項２３】
前記ソフトウェアは、前記再生装置のＣＰＵ実行用ソフトウェア、前記再生装置のエンコーダまたはデコーダ実行用ソフトウェア、前記情報記録媒体をローディングするローディング装置のＣＰＵ実行用ソフトウェアのうち少なくとも一つ以上を含むことを特徴とする請求項２２に記載の再生装置。
【請求項２４】
前記ソフトウェアアップデートのための情報は、
いかなるＣＰＵで実行されるソフトウェアであるかを表すソフトウェアタイプ、再生装置の製造者名、再生装置のモデル名、ソフトウェアバージョン、ユーザにアップデート情報を知らせるアップデートメッセージのうち少なくとも一つ以上を含むことを特徴とする請求項２３に記載の再生装置。
【請求項２５】
前記ＣＰＵは、
前記ソフトウェアのバージョン情報を利用して、ソフトウェアアップデートの要否を判断することを特徴とする請求項２４に記載の再生装置。
【請求項２６】
前記アップデートメッセージは、
アップデート発生時点、アップデート方法、アップデート原因のうち少なくとも一つ以上を知らせることを特徴とする請求項２５に記載の再生装置。
【請求項２７】
前記アップデートメッセージは、現在ネットワークに接続してソフトウェアアップデートを行うか否かを問い合わせする案内情報を含み、
前記ＣＰＵは、
ユーザから現在ネットワークに接続してソフトウェアアップデートを行うという選択入力を受信した場合には、前記ネックワークに接続してソフトウェアアップデートを行うことを特徴とする請求項２６に記載の再生装置。
【請求項２８】
前記アップデートメッセージは、ソフトウェアアップデートなしに現在ソフトウェアとして再生するか否かを問い合わせする案内情報を含み、
前記ＣＰＵは、
ユーザからソフトウェアアップデートなしに現在ソフトウェアとして再生するという選択入力を受信した場合には、前記Ａ／Ｖデータを再生することを特徴とする請求項２７に記載の再生装置。
【請求項２９】
ユーザインターフェースを通じて前記ＣＰＵは、
前記情報記録媒体から読み取られたソフトウェアアップデートのための情報に含まれたアップデートメッセージまたは前記再生装置に設定されたデフォルトアップデートメッセージをユーザインターフェースを通じて提供することを特徴とする請求項２８に記載の再生装置。
【請求項３０】
前記ＣＰＵは、
前記ソフトウェアアップデートが必要ない場合には、前記情報記録媒体から前記データを再生することを特徴とする請求項２９に記載の再生装置。
【請求項３１】
データが記録された情報記録媒体からデータを再生する方法において、
前記情報記録媒体から前記データ再生装置のソフトウェアアップデートのための情報を読み取るステップと、
前記ソフトウェアアップデートのための情報に基づいて、ソフトウェアアップデートの要否を判断するステップと、
ソフトウェアアップデートが必要である場合に、前記ソフトウェアアップデートのための情報に含まれたアップデートファイルを利用して、ソフトウェアアップデートを行うステップと、
前記情報記録媒体からＡ／Ｖデータを再生するステップと、を含むことを特徴とする再生方法。
【請求項３２】
前記ソフトウェアは、前記再生装置のＣＰＵ実行用ソフトウェア、前記再生装置のエンコーダまたはデコーダ実行用ソフトウェア、前記情報記録媒体をローディングするローディング装置のＣＰＵ実行用ソフトウェアのうち少なくとも一つ以上を含むことを特徴とする請求項３１に記載の再生方法。
【請求項３３】
前記ソフトウェアアップデートのための情報は、
いかなるＣＰＵで実行されるソフトウェアであるかを表すソフトウェアタイプ、再生装置の製造者名、再生装置のモデル名、ソフトウェアバージョン、アップデートファイル名のうち少なくとも一つ以上を含むことを特徴とする請求項３２に記載の再生方法。
【請求項３４】
前記判断ステップは、
前記ソフトウェアのバージョン情報を利用して、ソフトウェアアップデートの要否を判断するステップを含むことを特徴とする請求項３３に記載の再生方法。
【請求項３５】
データが記録された情報記録媒体からデータ再生装置において、
前記再生装置がデータを再生するように制御するＣＰＵと、
前記ＣＰＵが実行するソフトウェアを保存するためのメモリ装置と、を備え、
前記ＣＰＵは、
前記情報記録媒体から前記データ再生装置のソフトウェアアップデートのための情報を読み取り、前記ソフトウェアアップデートのための情報に基づいてソフトウェアアップデートの要否を判断し、ソフトウェアアップデートが必要である場合に、前記ソフトウェアアップデートのための情報に含まれたアップデートファイルを利用してソフトウェアアップデートを行って、データを再生するように制御することを特徴とする再生装置。
【請求項３６】
前記ソフトウェアは、前記再生装置のＣＰＵ実行用ソフトウェア、前記再生装置のエンコーダまたはデコーダ実行用ソフトウェア、前記情報記録媒体をローディングするローディング装置のＣＰＵ実行用ソフトウェアのうち少なくとも一つ以上を含むことを特徴とする請求項３５に記載の再生装置。
【請求項３７】
前記ソフトウェアアップデートのための情報は、
いかなるＣＰＵで実行されるソフトウェアであるかを表すソフトウェアタイプ、再生装置の製造者名、再生装置のモデル名、ソフトウェアバージョン、アップデートファイル名のうち少なくとも一つ以上を含むことを特徴とする請求項３６に記載の再生装置。
【請求項３８】
前記ＣＰＵは、
前記ソフトウェアのバージョン情報を利用して、ソフトウェアアップデートの要否を判断することを特徴とする請求項３７に記載の再生装置。
【発明の詳細な説明】
【技術分野】
【０００１】
本発明は、ソフトウェアアップデートを効果的に行わせる情報記録媒体、再生方法及び再生装置に関する。
【背景技術】
【０００２】
次世代光機器製品であるＨＤ  ＤＶＤ（Ｈｉｇｈ  Ｄｅｎｓｉｔｙ  Ｄｉｇｉｔａｌ  Ｖｅｒｓａｔｉｌｅ  Ｄｉｓｃ）再生器またはＢＤ（Ｂｌｕ−ｒａｙ  Ｄｉｓｃ）再生器で、既存の再生メディアであるＤＶＤ、ＣＤ（Ｃｏｍｐａｃｔ  Ｄｉｓｋ）再生を何れも支援することが一般的である。しかし、既存の媒体を支援しつつ、新たな方式のメディアまで支援する製品を販売する場合、その品質の安定化に長時間がかかる。また、市場に新たな方式のメディアが十分でないので、製品開発当時に販売されるメディア製造社のメディアへの対応には問題がないが、製品発売以後の後発メディア製造社のディスクを再生するとき、初期製品に搭載されたソフトウェアがアップグレードされねばならない場合が発生する。
【０００３】
このように、消費者に販売された再生装置にソフトウェアアップグレードが必要な場合には、装置に装着されている別途のインターフェースを通じるか、またはソフトウェアアップデート用ＣＤ−ＲＯＭディスクを通じてアップデートを行う。
【０００４】
しかし、問題のある再生装置が販売されたとき、消費者に知らせる方法及びアップデート方法が難しく、アップデートのために製品を一々回収してアップデートするには、時間及び費用的な問題が深刻である。
【発明の開示】
【発明が解決しようとする課題】
【０００５】
本発明は、前記問題点を解決してＡ／Ｖデータ再生装置のソフトウェアアップデートを効果的に提供可能にする情報記録媒体、再生方法及び再生装置を提供することを目的とする。
【課題を解決するための手段】
【０００６】
前記課題を解決するための本発明の一つの特徴は、データ再生装置に利用するための情報記録媒体において、データと、前記データ再生装置のソフトウェアアップデートのための情報とが記録されていることである。
【０００７】
本発明の一特徴によって、前記ソフトウェアアップデートのための情報は、前記装置の一般的なオペレーションを通じて、ユーザにはアクセス不能の前記情報記録媒体の位置に保存されている。
【０００８】
本発明の一特徴によって、前記ソフトウェアアップデートのための情報は、アップデートソフトウェアファイルに関する情報を有するソフトウェアアップデート情報ファイルを含む。
【０００９】
本発明の一特徴によって、前記ソフトウェアアップデート情報ファイルは、いかなるＣＰＵで実行されるソフトウェアであるかを表すソフトウェアタイプ、再生装置の製造者名、再生装置のモデル名、ソフトウェアバージョン情報、ユーザにアップデート情報を知らせるアップデートメッセージのうち少なくとも一つ以上を含む。
【００１０】
本発明の一特徴によって、前記アップデートメッセージは、アップデート発生時点、アップデート原因、アップデート方法、現在ネットワークに接続してアップデートを行うか否かを問い合わせする案内情報、アップデートなしに現在ソフトウェアとして再生するか否かを問い合わせする案内情報のうち少なくとも一つ以上を知らせる。
【００１１】
本発明の一特徴によって、前記ソフトウェアアップデートのための情報は、アップデートソフトウェアファイルに関する情報を有するソフトウェアアップデート情報ファイルとソフトウェアアップデートファイルとを含む。
【００１２】
本発明の一特徴によって、前記ソフトウェアアップデート情報ファイルは、いかなるＣＰＵで実行されるソフトウェアであるかを表すソフトウェアタイプ、再生装置の製造者名、再生装置のモデル名、ソフトウェアバージョン情報、アップデートファイル名及びアップデートソフトウェア及びアップデートに関する情報をユーザに知らせるアップデートメッセージのうち少なくとも一つ以上を含む。
【００１３】
本発明の一特徴によって、前記アップデートメッセージは、アップデートソフトウェアファイルの発売日、ソフトウェアをアップデートしなくて発生する問題、ソフトウェアアップデートの方法のうち少なくとも一つを含む。
【００１４】
本発明の一特徴によって、情報記録媒体上にデータを記録する装置で使用するための情報記録媒体において、データを記録するためのデータ領域と、前記情報記録媒体のデータ領域にデータを記録する前記装置に保存されたソフトウェアのアップデート情報を記録するための所定の領域と、を備える。
【００１５】
本発明の一特徴によって、前記所定領域は、前記装置の一般的なオペレーションを通じてはユーザにアクセス不可能である。
【００１６】
本発明の一特徴によって、前記ソフトウェアアップデートのための情報は、アップデートソフトウェアファイルに関する情報を有するソフトウェアアップデート情報ファイルを含み、前記ソフトウェアアップデート情報ファイルは、いかなるＣＰＵで実行されるソフトウェアであるかを表すソフトウェアタイプ、再生装置の製造者名、再生装置のモデル名、ソフトウェアバージョン情報、アップデートファイル名及びアップデートソフトウェア及びアップデートに関する情報をユーザに知らせるアップデートメッセージのうち少なくとも一つ以上を含む。
【００１７】
本発明の一特徴によって、前記アップデートメッセージは、アップデートソフトウェアファイルの発売日、ソフトウェアをアップデートしなくて発生する問題、ソフトウェアアップデートの方法、現在ネットワークに接続してアップデートを行うか否かを問い合わせする案内情報、アップデートなしに現在ソフトウェアとして再生するか否かを問い合わせする案内情報のうち少なくとも一つ以上を含む。
【００１８】
本発明の一特徴によって、前記ソフトウェアアップデートのための情報は、アップデートソフトウェアファイルに関する情報を有するソフトウェアアップデート情報ファイル及びアップデートソフトウェアファイルを含み、前記ソフトウェアアップデート情報ファイルは、いかなるＣＰＵで実行されるソフトウェアであるかを表すソフトウェアタイプ、再生装置の製造者名、再生装置のモデル名、ソフトウェアバージョン情報、アップデートファイル名及びアップデートソフトウェア及びアップデートに関する情報をユーザに知らせるアップデートメッセージのうち少なくとも一つ以上を含む。
【００１９】
本発明の一特徴によって、前記アップデートメッセージは、アップデートソフトウェアファイルの発売日、ソフトウェアをアップデートしなくて発生する問題、ソフトウェアアップデートの方法のうち少なくとも一つをさらに含む。
【００２０】
本発明の一特徴によって、データが記録された情報記録媒体からデータを再生する方法において、前記情報記録媒体から前記データ再生装置のソフトウェアアップデートのための情報を読み取るステップと、前記ソフトウェアアップデートのための情報に基づいてソフトウェアアップデートの要否を判断するステップと、ソフトウェアアップデートが必要である場合に、アップデートメッセージをユーザに出力するステップとを含む。
【００２１】
本発明の一特徴によって、前記ソフトウェアは、前記再生装置のＣＰＵ実行用ソフトウェア、前記再生装置のエンコーダまたはデコーダ実行用ソフトウェア、前記情報記録媒体をローディングするローディング装置のＣＰＵ実行用ソフトウェアのうち少なくとも一つ以上を含む。
【００２２】
本発明の一特徴によって、前記ソフトウェアアップデートのための情報は、いかなるＣＰＵで実行されるソフトウェアであるかを表すソフトウェアタイプ、再生装置の製造者名、再生装置のモデル名、ソフトウェアバージョン、ユーザにアップデート情報を知らせるアップデートメッセージのうち少なくとも一つ以上を含む。
【００２３】
本発明の一特徴によって、前記判断ステップは、前記ソフトウェアのバージョン情報を利用して、ソフトウェアアップデートの要否を判断するステップを含む。
【００２４】
本発明の一特徴によって、前記アップデートメッセージは、アップデート発生時点、アップデート方法、アップデート原因のうち少なくとも一つ以上を知らせる。
【００２５】
本発明の一特徴によって、前記アップデートメッセージは、現在ネットワークに接続してソフトウェアアップデートを行うか否かを問い合わせする案内情報を含み、ユーザから現在ネットワークに接続してソフトウェアアップデートを行うという選択入力を受信した場合には、前記ネックワークに接続してソフトウェアアップデートを行うステップをさらに含む。
【００２６】
本発明の一特徴によって、前記アップデートメッセージは、ソフトウェアアップデートなしに現在ソフトウェアとして再生するか否かを問い合わせする案内情報を含み、ユーザからソフトウェアアップデートなしに現在ソフトウェアとして再生するという選択入力を受信した場合には、前記データを再生するステップをさらに含む。
【００２７】
本発明の一特徴によって、ユーザインターフェースを通じて前記アップデートメッセージ出力ステップは、前記情報記録媒体から読み取られたソフトウェアアップデートのための情報に含まれたアップデートメッセージまたは前記再生装置に設定されたデフォルトアップデートメッセージをユーザインターフェースを通じて提供するステップを含む。
【００２８】
本発明の一特徴によって、前記ソフトウェアアップデートが必要ない場合には、前記情報記録媒体から前記データを再生するステップをさらに含む。
【００２９】
本発明の一特徴によって、データが記録された情報記録媒体からデータ再生装置において、前記再生装置がＡ／Ｖデータを再生するように制御するＣＰＵと、前記ＣＰＵが実行するソフトウェアを保存するためのメモリ装置と、を備え、前記ＣＰＵは、前記情報記録媒体から前記Ａ／Ｖデータ再生装置のソフトウェアアップデートのための情報を読み取り、前記ソフトウェアアップデートのための情報に基づいてソフトウェアアップデートの要否を判断し、ソフトウェアアップデートが必要である場合に、アップデートメッセージを出力するように制御する。
【００３０】
本発明の一特徴によって、前記ソフトウェアは、前記再生装置のＣＰＵ実行用ソフトウェア、前記再生装置のエンコーダまたはデコーダ実行用ソフトウェア、前記情報記録媒体をローディングするローディング装置のＣＰＵ実行用ソフトウェアのうち少なくとも一つ以上を含む。
【００３１】
本発明の一特徴によって、前記ソフトウェアアップデートのための情報は、いかなるＣＰＵで実行されるソフトウェアであるかを表すソフトウェアタイプ、再生装置の製造者名、再生装置のモデル名、ソフトウェアバージョン、ユーザにアップデート情報を知らせるアップデートメッセージのうち少なくとも一つ以上を含む。
【００３２】
本発明の一特徴によって、前記ＣＰＵは、前記ソフトウェアのバージョン情報を利用してソフトウェアアップデートの要否を判断する。
【００３３】
本発明の一特徴によって、前記アップデートメッセージは、アップデート発生時点、アップデート方法、アップデート原因のうち少なくとも一つ以上を知らせる。
【００３４】
本発明の一特徴によって、前記アップデートメッセージは、現在ネットワークに接続してソフトウェアアップデートを行うか否かを問い合わせする案内情報を含み、前記ＣＰＵは、ユーザから現在ネットワークに接続してソフトウェアアップデートを行うという選択入力を受信した場合には、前記ネックワークに接続してソフトウェアアップデートを行う。
【００３５】
本発明の一特徴によって、前記アップデートメッセージは、ソフトウェアアップデートなしに現在ソフトウェアとして再生するか否かを問い合わせする案内情報を含み、前記ＣＰＵは、ユーザからソフトウェアアップデートなしに現在ソフトウェアとして再生するという選択入力を受信した場合には、前記Ａ／Ｖデータを再生する。
【００３６】
本発明の一特徴によって、ユーザインターフェースを通じて前記ＣＰＵは、前記情報記録媒体から読み取られたソフトウェアアップデートのための情報に含まれたアップデートメッセージまたは前記再生装置に設定されたデフォルトアップデートメッセージをユーザインターフェースを通じて提供する。
【００３７】
本発明の一特徴によって、前記ＣＰＵは、前記ソフトウェアアップデートが必要ない場合には、前記情報記録媒体から前記データを再生する。
【００３８】
本発明の一特徴によって、データが記録された情報記録媒体からデータを再生する方法において、前記情報記録媒体から前記データ再生装置のソフトウェアアップデートのための情報を読み取るステップと、前記ソフトウェアアップデートのための情報に基づいてソフトウェアアップデートの要否を判断するステップと、ソフトウェアアップデートが必要である場合に、前記ソフトウェアアップデートのための情報に含まれたアップデートファイルを利用してソフトウェアアップデートを行うステップと、前記情報記録媒体からＡ／Ｖデータを再生するステップと、を含む。
【００３９】
本発明の一特徴によって、前記ソフトウェアは、前記再生装置のＣＰＵ実行用ソフトウェア、前記再生装置のエンコーダまたはデコーダ実行用ソフトウェア、前記情報記録媒体をローディングするローディング装置のＣＰＵ実行用ソフトウェアのうち少なくとも一つ以上を含む。
【００４０】
本発明の一特徴によって、前記ソフトウェアアップデートのための情報は、いかなるＣＰＵで実行されるソフトウェアであるかを表すソフトウェアタイプ、再生装置の製造者名、再生装置のモデル名、ソフトウェアバージョン、アップデートファイル名のうち少なくとも一つ以上を含む。
【００４１】
本発明の一特徴によって、前記判断ステップは、前記ソフトウェアのバージョン情報を利用してソフトウェアアップデートの要否を判断するステップを含む。
【００４２】
本発明の一特徴によって、データが記録された情報記録媒体からデータ再生装置において、前記再生装置がデータを再生するように制御するＣＰＵと、前記ＣＰＵが実行するソフトウェアを保存するためのメモリ装置と、を備え、前記ＣＰＵは、前記情報記録媒体から前記データ再生装置のソフトウェアアップデートのための情報を読み取り、前記ソフトウェアアップデートのための情報に基づいてソフトウェアアップデートの要否を判断し、ソフトウェアアップデートが必要である場合に、前記ソフトウェアアップデートのための情報に含まれたアップデートファイルを利用してソフトウェアアップデートを行ってデータを再生するように制御する。
【００４３】
本発明の一特徴によって、前記ソフトウェアは、前記再生装置のＣＰＵ実行用ソフトウェア、前記再生装置のエンコーダまたはデコーダ実行用ソフトウェア、前記情報記録媒体をローディングするローディング装置のＣＰＵ実行用ソフトウェアのうち少なくとも一つ以上を含む。
【００４４】
本発明の一特徴によって、前記ソフトウェアアップデートのための情報は、いかなるＣＰＵで実行されるソフトウェアであるかを表すソフトウェアタイプ、再生装置の製造者名、再生装置のモデル名、ソフトウェアバージョン、アップデートファイル名のうち少なくとも一つ以上を含む。
【００４５】
本発明の一特徴によって、前記ＣＰＵは、前記ソフトウェアのバージョン情報を利用してソフトウェアアップデートの要否を判断する。
【発明の効果】
【００４６】
本発明によれば、ユーザが特定媒体を再生しようという瞬間に、ソフトウェアアップデートが必要であるか否かをチェックし、必要な場合には、媒体に保存されたアップデートファイルを利用してアップデートを行うか、または再生装置のソフトウェアのアップデートが必要であるという情報をユーザに知らせることができて、ユーザとしては容易にアップデート情報を提供されてアップデートを行い、再生装置生産者側でもソフトウェアアップデート情報を効果的に提供しうる。
【発明を実施するための最良の形態】
【００４７】
以下、添付された図面を参照して、本発明を詳細に説明する。
【００４８】
図１は、本発明による情報記録媒体を示す。このような情報記録媒体は、ブルーレイディスク（ＢＤ）、高密度デジタル多機能ディスク（ＨＤ  ＤＶＤ）、ハイブリッドＢＤまたはＨＤ  ＤＶＤを含む。
【００４９】
図１を参照するに、本発明による情報記録媒体１００は、ＢＤプレイヤのような再生装置で再生されるオーディオ／ビデオデータと、このオーディオ／ビデオデータを制御するためのナビゲーションデータとのような付加的なタイプのデータを含みうる。選択的に、データを保存するよりは、前記情報記録媒体１００は、ブランク状態であって、記録／再生装置（図示せず）を利用して消費者がデータを記録できることもある。本発明の一実施例によれば、情報記録媒体１００は、ソフトウェアアップデートのための情報１１０を付加的に含みうる。情報記録媒体１００にソフトウェアアップデートのための情報１１０を保存することによって、ソフトウェアアップデート情報をユーザに迅速で効果的に提供でき、また、ソフトウェアアップデートも簡便に行える。
【００５０】
ソフトウェアアップデートのための情報１１０は、ユーザに正常的にアクセス可能な情報記録媒体１００の領域に保存されうる。付加的に、本発明の一特徴は、ソフトウェアアップデートのための情報１１０が、装置はアクセスできるが、ユーザは、一般的なオペレーションを通じてアクセスできない情報記録媒体１００の領域に保存されうる。ソフトウェアアップデートのための情報１１０をユーザの一般的なオペレーションを通じてアクセスできない情報記録媒体１００の領域に保存することによって、ソフトウェアアップデートのための情報１１０は、ユーザが一般的に記載する情報記録媒体の容量を減少させざるを得ない。例えば、ユーザが一般的にアクセスできないＢＤ−Ｒの領域に位置した１ＧＢのアップデートを含んでいるブランク５０ＧＢ容量のＢＤ−Ｒは、ユーザには、依然として５０ＧＢ容量の保存空間を提供しうる。また、ソフトウェアアップデートのための情報１１０をユーザの一般的なオペレーションを通じてアクセスできない情報記録媒体１００の領域に保存することによって、アップデートは、ユーザの関与なしに起き得る。また、アップデートのために要求されるファイルの秘密データであるが、製造業者がユーザのアクセスを所望しない秘密データが、そのような領域に安全に保存されうる。
【００５１】
ソフトウェアアップデートのためのデータは、いくつかの形態で提供される。
【００５２】
一つの例は、情報記録媒体に記録されるソフトウェアアップデートのためのデータ１１０に、ソフトウェアアップデートのための情報及びアップデートファイル自体を保存しておき、ソフトウェアアップデートが必要な場合、直ぐ情報記録媒体のアップデートファイルを利用して、再生装置のソフトウェアアップデートを行う。ユーザが媒体を再生しようとするとき、媒体再生前にこのようなソフトウェアアップデートの要否のチェック及びアップデートを行うことによって、簡便に再生装置のソフトウェアアップデートを行うことができ、ユーザが必要なアップデートを行ってデータを再生できる。また、本発明の他の特徴は、ユーザの関与なしに自動的にアップデートを行うことを提供する。
【００５３】
他の例は、情報記録媒体に記録されるソフトウェアアップデートのためのデータ１１０に、ソフトウェアアップデートのための情報のみを保存しておき、ソフトウェアアップデートが必要な場合には、アップデートが必要であることを知らせるアップデートメッセージをユーザに提供する。そして、アップデートメッセージに、直ぐネットワークに接続してソフトウェアのアップデート行うことを所望するか否かを尋ねる内容を含めて、ユーザが直ぐソフトウェアアップデートを行うことを選択する場合には、ネットワークに接続してソフトウェアアップデートを行うこともできる。本発明のさらに他の例は、ソフトウェアアップデートのための情報１１０がユーザにアップグレードキットのための販売者に接触させたり、電話番号を知らせたり、ユーザによる作業を要求するアップグレードを完成させる措置を行う。
【００５４】
図２は、本発明によるＡ／Ｖデータ記録／再生装置の概略図を示す。図２を参照するに、Ａ／Ｖデータ記録／再生装置は、情報記録媒体に／からデータを記録／再生する装置であって、オーディオ／ビデオ信号を受信するオーディオ／ビデオ入力部１、アナログオーディオ信号をデジタルオーディオ信号に変換するオーディオＡＤＣ（Ａｎａｌｏｇ  Ｄｉｇｉｔａｌ  Ｃｏｎｖｅｒｔｅｒ）２、アナログビデオ信号をデジタルビデオ信号に変換するビデオＡＤＣ  ３、バックエンド用ＣＰＵプログラム保管用メモリ４、揮発性メモリ５、リモートコントローラのように、ユーザの入力を受信するユーザインターフェース６、デジタルオーディオ信号をアナログオーディオ信号に変換するオーディオＤＡＣ（Ｄｉｇｉｔａｌ  Ａｎａｌｏｇ  Ｃｏｎｖｅｒｔｅｒ）７、オーディオ／ビデオ信号を出力するオーディオ／ビデオ出力部８、ネットワーク接続を制御するネットワークコントローラ９、ＭＰＥＧデータを復号化し、グラフィック処理を行い、再生装置全体を制御するプロセッサー１０、情報記録媒体を記録／再生装置にローディングさせるローダ２０を備える。
【００５５】
バックエンド用ＣＰＵ（Ｃｅｎｔｒａｌ  Ｐｒｏｃｅｓｓｉｎｇ  Ｕｎｉｔ）プログラム保管用メモリ４は、ＣＰＵが実行するプログラムを保存するメモリであって、フラッシュメモリを利用でき、フラッシュメモリは、リード／ライトが可能であるので、ＣＰＵ実行用プログラムをアップデートすることができる。
【００５６】
ローダ２０は、ローダ全体を制御するローダ用ＣＰＵ  ２１、ローダ用ＣＰＵプログラムを保存しているローダ用ＣＰＵプログラム保管用メモリ２２、ローディングされた情報記録媒体からデータを読み取り、情報記録媒体にデータを記録する記録／再生ユニット２３、バックエンドとのインターフェースを提供するインターフェース２４を備える。ここで、記録／再生ユニット２３は、ピックアップ、サーボ、ＲＦ−ＡＭＰ（Ｒａｄｉｏ  Ｆｕｅｑｕｅｎｃｙ  Ａｍｐｌｉｆｉｅｒ）、ＤＳＰ（Ｄｉｇｉｔａｌ  Ｓｉｇｎａｌ  Ｐｒｏｃｅｓｓｏｒ）を備える。
【００５７】
プロセッサ１０は、プロセッサ１０の内部のブロックを制御し、システム全体を制御するＣＰＵ  １１、グラフィックユーザインターフェースのために、グラフィック処理を行うグラフィック処理器１２、ＭＰＥＧエンコーダ１３、ＭＰＥＧデコーダ１４を備える。
【００５８】
ＣＰＵ  １１は、再生装置のブーティング時、パワーオン時またはリセット時に、バックエンド用ＣＰＵプログラム保管用メモリ４からプログラムデータを読み取って揮発性メモリ５に移してプログラムを実行させる。
【００５９】
特に、本発明によるＣＰＵ  １１は、図１に示したようなＡ／Ｖデータだけでなく、ソフトウェアアップデートのためのデータ１１０の記録されている情報記録媒体１００がローディングされれば、Ａ／Ｖデータの再生前に、この情報記録媒体からソフトウェアアップデートのためのデータ１１０を読み取って、ソフトウェアアップデートの要否を判断し、ソフトウェアアップデートが必要である場合には、情報記録媒体に保存されたアップデートファイルを利用して、直ぐソフトウェアアップデートを行うか、またはアップデート情報を知らせるアップデートメッセージを出力するように制御する。アップデートメッセージを出力する場合に、アップデートメッセージの内容によって、ユーザが現在ソフトウェアアップデートを所望する場合には、ネットワークコントローラ９を通じてアップデートファイルを提供するウェブサイトに接続して、アップデートファイルをダウンされてアップデートを行うこともできる。またＣＰＵ  １１は、アップデートメッセージの内容によって、ユーザがソフトウェアアップデートなしに現在のソフトウェアで再生を所望する場合には、そのままＡ／Ｖデータを再生するように制御する。
【００６０】
また、ＣＰＵ  １１は、アップデートが必要ない場合には、そのまま情報記録媒体のＡ／Ｖを再生する。
【００６１】
アップデートの対象となるソフトウェアは、バックエンド用ＣＰＵプログラム保管用メモリ４に保存されるバックエンド用ＣＰＵプログラムだけでなく、ローダ用ＣＰＵプログラム保管用メモリ２２に保存されるローダ用ＣＰＵプログラムも含み、まれなことであるが、ＭＰＥＧエンコーダ１３やＭＰＥＧデコーダ１４で利用するプログラムとなることもある。
【００６２】
図３は、本発明によるＡ／Ｖ再生方法の一例を示すフローチャートである。図３を参照するに、情報記録媒体１００からＡ／Ｖデータ再生装置のソフトウェアアップデートのためのデータを読み取る（３１０）。Ａ／Ｖデータ再生装置のソフトウェアは、バックエンド用ＣＰＵが実行するプログラム、ローダ用ＣＰＵが実行するプログラムを含み、プロセッサのＣＰＵ以外に、ＭＰＥＧエンコーダやＭＰＥＧデコーダで行うプログラムともなりうる。
【００６３】
そして、読み取られたソフトウェアアップデートのためのデータに基づいて、ソフトウェアアップデートの要否を判断する（３２０）。ソフトウェアアップデートのためのデータに含まれたソフトウェアバージョンが再生装置のソフトウェアバージョンより高い場合には、ソフトウェアアップデートが必要であると判断する。
【００６４】
判断結果、ソフトウェアアップデートが必要であると決定された場合には、ソフトウェアアップデートのためのメッセージを出力する（３３０）。ソフトウェアアップデートのためのメッセージは、情報記録媒体のソフトウェアアップデートのためのデータに含まれている場合には、そのアップデートメッセージを利用し、含まれていない場合には、再生装置に設定されたデフォルトアップデートメッセージを利用する。
【００６５】
図４は、本発明の一例による情報記録媒体に記録されるデータを示す。図４を参照するに、本発明の一例による情報記録媒体には、オーディオ／ビデオデータ４１０、オーディオ／ビデオデータの再生を制御するためのナビゲーションデータ４２０、再生装置で実行されるソフトウェアアップデートのためのデータ４３０が記録されている。
【００６６】
ソフトウェアアップデートのためのデータ４３０は、ソフトウェアアップデートに関する情報を提供するソフトウェアアップデート情報ファイル４３１を含む。ソフトウェアアップデート情報ファイル４３１の内容が図５に示されている。
【００６７】
図５を参照するに、ソフトウェアアップデート情報ファイル４３１は、ソフトウェアアップデート情報を提供するファイルであることを識別するためのソフトウェアアップデート情報識別子５１０、アップデートファイル情報の数５２０、及びアップデートファイル情報を含む。
【００６８】
各アップデートファイル情報は、ソフトウェアタイプ５３０、製造者名５４０、モデル名５５０、ソフトウェアバージョン５６０、アップデートメッセージ５７０を含む。
【００６９】
ソフトウェアタイプ５３０は、このアップデートファイルがいかなるＣＰＵで実行するソフトウェアであるかを表す。すなわち、ローダ用ＣＰＵで実行するソフトウェアであるか、バックエンド用ＣＰＵで実行するソフトウェアであるか、またはプロセッサの他のブロックで実行するソフトウェアであるかを識別する。
【００７０】
アップデートメッセージ５７０は、ユーザにアップデート情報を提供するための案内情報を含んでいる。もちろん、このように、情報記録媒体に保存されているアップデートメッセージ５７０は、ユーザに示す完全なメッセージが保存されるものではなく、メッセージをディスプレイするための基本情報のみを含み、記録／再生装置では、このような情報を組合わせてユーザにメッセージをディスプレイする。
【００７１】
アップデートメッセージ５７０に入れる内容を、図７に示されたアップデートメッセージの一例を参照して説明する。
【００７２】
１）アップデートファイルのリリース日付を知らせるアップデート発生時点
図８に示されたアップデートメッセージには、“このタイトルに適したソフトウェアは、２００６年６月３日付アップデートです”とアップデート発生時点を知らせる。
【００７３】
２）アップデートを行わなくて発生する問題点を知らせるアップデート原因
図８に示されたアップデートメッセージには、“アップデートを行わなければ、画面に黒い点が現れることができます”とアップデート発生原因を知らせる。
【００７４】
３）どのウェブサイトに接続すれば、アップデートフェイルのダウンロードができるというアップデート方法及び今接続してアップデートを行うか否かを尋ねる内容
図８に示されたアップデートメッセージには、“アップデートは、ｗｗｗ.ｘｘｘｘに接続してダウンされることができます。今接続してアップデートなさりますか？はい、いいえ”とアップデート方法を知らせる。
【００７５】
４）アップデートなしにタイトルを再生するか否かを尋ねる内容
図８に示されたアップデートメッセージには、“アップデートなしにタイトルを再生しますか？はい、いいえ”とアップデートなしにタイトルを再生するか否かを要請する。
【００７６】
図６は、本発明の一例によるＡ／Ｖデータ再生方法を示すフローチャートである。図６を参照するに、ユーザがＡ／Ｖデータを再生するために再生装置に情報記録媒体を挿入して、再生装置に本発明による情報記録媒体がローディングされれば、ＣＰＵは、Ａ／Ｖデータの再生に先に情報記録媒体からアップデートファイル情報を読み取る（６１０）。
【００７７】
そして、ＣＰＵは、読み取られたアップデートファイル情報を分析する（６２０）。すなわち、読み取られたアップデートファイル情報のうち、再生装置に適したアップデートファイル情報を探す。例えば、図７を参照するに、再生装置情報にソフトウェアタイプが“バックエンドＣＰＵ用ソフトウェア”であり、製造者名が“三星”であり、モデル名が“ＳＡＭ１”である場合、このような情報を有するアップデートファイル情報を探す。
【００７８】
そして、ＣＰＵは、分析結果アップデートが必要であるか否かを判断する（６３０）。すなわち、現在再生装置で使われるソフトウェアバージョンとアップデートファイル情報に入っているバージョン情報とを比較して、アップデートファイル情報に入っているバージョンがさらに高いバージョンであれば、アップデートが必要であると決定し、同一かまたは低いバージョンであれば、アップデートが必要ないと決定する。例えば、図７に示された例で、アップデートファイル情報のソフトウェアバージョン情報は２.０であり、現在再生装置のソフトウェアバージョン情報は１.０であるので、この場合には、ソフトウェアアップデートが必要であると決定する。
【００７９】
ソフトウェアアップデートが必要ないと決定された場合には、ＣＰＵは、そのまま媒体のＡ／Ｖデータを再生するように装置を制御する（６８０）。
【００８０】
分析結果、アップデートが必要である場合には、ＣＰＵは、アップデートメッセージを出力するように制御する（６４０）。情報記録媒体のソフトウェアアップデートのためのデータにアップデートメッセージが入っている場合には、このアップデートメッセージを出力し、ソフトウェアアップデートのためのデータにアップデートメッセージが入っていない場合には、再生装置の内部に設定されたデフォルトアップデートメッセージを出力する。出力されるアップデートメッセージの一例が、図８に示されている。
【００８１】
図８に示されたアップデートメッセージの項目３のような案内情報に対して、ユーザから現在ネットワークに接続してアップデートを行うという選択入力を受信したか否かを判断する（６５０）。
【００８２】
そして、現在ネットワークに接続してアップデートを行うという選択入力を受信した場合には、すなわち、図８に示されたアップデートメッセージの項目３と関連して、ユーザが“はい”を選択した場合には、ネットワークコントローラ９を通じてアップデートファイルを提供するウェブサイトに接続してソフトウェアアップデートを行い（６６０）、媒体のＡ／Ｖデータを再生する（６８０）。
【００８３】
ユーザから現在ネットワークに接続してアップデートを行うという選択を入力されない場合には、すなわち、図８に示されたアップデートメッセージの項目３と関連して、ユーザが“いいえ”を選択した場合には、アップデートなしに既存のソフトウェアとして再生するという選択を入力されたか否かを判断する（６７０）。
【００８４】
そして、既存のソフトウェアで行うという選択を入力された場合には、すなわち、図８に示されたアップデートメッセージの項目４と関連して、ユーザが“はい”を選択した場合には、情報記録媒体のＡ／Ｖデータを再生し（６８０）、既存のソフトウェアとして再生するという選択を入力されなかった場合には、すなわち、図８に示されたアップデートメッセージの項目４と関連して、ユーザが“いいえ”を選択した場合には、そのまま動作を終了する。
【００８５】
図９は、本発明の他の例による情報記録媒体に記録されるデータを示す。図９を参照するに、本発明の他の例による情報記録媒体には、オーディオ／ビデオデータ９１０、オーディオ／ビデオデータの再生を制御するためのナビゲーションデータ９２０、再生装置で実行されるソフトウェアアップデートのためのデータ９３０が記録されている。
【００８６】
ソフトウェアアップデートのためのデータ９３０は、ソフトウェアアップデートに関する情報を提供するソフトウェアアップデート情報ファイル９３１と、アップデートファイル９３２,９３３とを含む。ソフトウェアアップデート情報ファイル９３１の内容が図１０に示されている。
【００８７】
図１０を参照するに、ソフトウェアアップデート情報ファイル９３１は、ソフトウェアアップデート情報を提供するファイルであることを識別するためのソフトウェアアップデート情報識別子１０１０、アップデートファイルの数１０２０、及びアップデートファイル情報を含む。
【００８８】
各アップデートファイル情報は、ソフトウェアタイプ１０３０、製造者名１０４０、モデル名１０５０、ソフトウェアバージョン１０６０、及びアップデートファイル名１０７０を含む。
【００８９】
ソフトウェアタイプ１０３０、製造者名１０４０、モデル名１０５０、ソフトウェアバージョン１０６０は、図５を参照して説明した通りであるので、それ以上の説明は省略する。
【００９０】
アップデートファイル名１０７０は、アップデートファイル９３２,９３３の名前を表す。製造業者や販売業者は、ユーザの関与なしに装置のソフトウェアをアップデートすることを所望するか、またはユーザにアップデートに対して知らせることを所望することもある。アップデートメッセージ１０８０は、もし、アップデートのためにユーザによるアクションが必要であれば、ユーザにアップデートまたはアップデートバージョンに対して知らせる図８のように、ユーザにディスプレイされる情報を含むことができる。選択的に、アップデートメッセージ１０８０は、ユーザの関与なしにまたはユーザに知らせつつ、装置にアップデートを行えと指示するデータを含むことができる。
【００９１】
図１１は、本発明の一例によるＡ／Ｖデータ再生方法を示すフローチャートである。図１１を参照するに、ユーザがＡ／Ｖデータを再生するために、再生装置に情報記録媒体を挿入し、再生装置に本発明による情報記録媒体がローディンされれば、ＣＰＵは、媒体の種類を分析し、Ａ／Ｖデータの再生前に情報記録媒体からアップデートファイル情報を読み取る（１１１０）。
【００９２】
そして、ＣＰＵは、読み取られたアップデートファイル情報を分析する（１１２０）。すなわち、読み取られたアップデートファイル情報のうち、再生装置に適したアップデートファイル情報を探す。
【００９３】
そして、ＣＰＵは、分析結果、ソフトウェアアップデートが必要であるか否かを判断する（１１３０）。すなわち、現在再生装置で使われるソフトウェアバージョンとアップデートファイル情報に入っているバージョン情報とを比較して、アップデートファイル情報に入っているバージョンがさらに高いバージョンであれば、アップデートが必要であると決定し、同一かまたは低いバージョンであれば、アップデートが不要であると決定する。
【００９４】
ソフトウェアアップデートが不要であると決定された場合には、ＣＰＵは、そのまま媒体のＡ／Ｖデータを再生するように装置を制御する（１１６０）。
【００９５】
分析結果、ソフトウェアアップデートが必要である場合には、ＣＰＵは、情報記録媒体から読み取られたソフトウェアアップデートのためのデータ９３０に含まれたアップデートファイルを利用して、ソフトウェアアップデートを行う（１１４０）。ＣＰＵは、バックエンド用ＣＰＵプログラムのアップデートを行う場合には、ソフトウェアアップデートのためのデータ９３０に含まれたアップデートファイルをバックエンド用ＣＰＵプログラム保管用メモリにアップデートし、ローダ用ＣＰＵプログラムのアップデートを行う場合には、アップデートファイルをローダ用ＣＰＵプログラム保管用メモリにアップデートする。
【００９６】
ソフトウェアアップデートを行った以後に、ＣＰＵは、再生装置の初期化を行い（１１５０）、再び初期ステップ（１１１０）に進む。
【００９７】
このような再生方法は、ＤＶＤプレイヤだけでなく、全ての種類の情報記録媒体の再生装置に利用されうる。
【００９８】
以上説明したような再生方法はまた、コンピュータで読み取り可能な記録媒体にコンピュータ可読コードとして具現することが可能である。コンピュータで読み取り可能な記録媒体は、コンピュータシステムによって読み取られるデータが保存される全ての種類の記録装置を含む。コンピュータで読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置があり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータ可読コードが保存され、かつ実行されうる。そして、前記再生方法を具現するための機能的なプログラム、コード及びコードセグメントは、本発明が属する技術分野のプログラマーによって容易に推論されうる。
【００９９】
以上、本発明についてその望ましい実施例を中心に説明した。当業者は、本発明が本発明の本質的な特性から逸脱しない範囲で変形された形態で具現されるということが分かるであろう。したがって、開示された実施例は、限定的な観点ではなく、説明的な観点で考慮されねばならない。本発明の範囲は、前述した説明ではなく、特許請求の範囲に現れており、それと同等な範囲内にある全ての差異点は、本発明に含まれていると解釈されねばならない。
【図面の簡単な説明】
【０１００】
【図１】本発明による情報記録媒体を示す図である。
【図２】本発明によるＡ／Ｖデータ再生装置の概略図である。
【図３】本発明によるＡ／Ｖ再生方法を示すフローチャートである。
【図４】本発明の一例による情報記録媒体に記録されるデータのファイルシステムである。
【図５】図４に示されたソフトウェアアップデート情報ファイルの構成図である。
【図６】本発明の一例によるＡ／Ｖデータ再生方法を示すフローチャートである。
【図７】本発明によってアップデートの要否を判断する方法を説明するための参考図である。
【図８】本発明によるアップデートメッセージの一例を示す図である。
【図９】本発明の他の例による情報記録媒体に記録されるデータのファイルシステムである。
【図１０】図９に示されたソフトウェアアップデート情報ファイルの構成図である。
【図１１】本発明の一例によるＡ／Ｖデータ再生方法を示すフローチャートである。
【図１】
2009533788.tif 000003
【図２】
2009533788.tif 000004
【図３】
2009533788.tif 000005
【図４】
2009533788.tif 000006
【図５】
2009533788.tif 000007
【図６】
2009533788.tif 000008
【図７】
2009533788.tif 000009
【図８】
2009533788.tif 000010
【図９】
2009533788.tif 000011
【図１０】
2009533788.tif 000012
【図１１】
2009533788.tif 000013
【国際調査報告】
2009533788.tif 000014
2009533788.tif 000015